(57)【要約】【課題】陳列装置に縦置きに陳列する際に標記をランダムな方向に向けて置いても、標記を所定の方向に向けることが可能な飲料用容器等を提供する。【解決手段】容器２０は、円盤状に形成された底部２１と、底部２１の外周縁から上方に延びる側部２２と、側部２２の上部に取り付けられた蓋部２４とを備え、円筒状に形成されている。また容器２０は、底部２１に、容器２０の外方に（底部２１から離れる方向に）向かって環状に突出した環状突出部２１１を備えている。さらに容器２０には、外面の一部である側部２２の特定箇所に、商品名、商標名など他の商品と識別するための識別標記２３が付されている。さらに、容器２０は、底部２１に錘２１２を有している。【選択図】図２
2010042830.tif 000002
【特許請求の範囲】
【請求項１】
載置面と接触する接触部を有した底部と、
前記底部の上方に設けられ、所定箇所に他の商品と識別するための識別標記が付された側部と、を備え、
前記底部の前記接触部は、第１の摩擦係数を有する第１の領域と、前記識別標記が設けられている側とは反対側に設けられ当該第１の摩擦係数よりも大きい第２の摩擦係数を有する第２の領域と、を有することを特徴とする飲料用容器。
【請求項２】
前記第１の領域および前記第２の領域は、当該第１の領域および当該第２の領域の少なくとも一方に、摩擦係数を異ならせる物質が塗布されることで形成されていることを特徴とする請求項１記載の飲料用容器。
【請求項３】
前記第１の領域および前記第２の領域は、当該第１の領域および当該第２の領域の少なくとも一方に、摩擦係数を異ならせるシール又はテープが貼付されることで形成されていることを特徴とする請求項１記載の飲料用容器。
【請求項４】
前記第１の領域および前記第２の領域は、少なくとも当該第２の領域に凹凸部が付与されることで形成されていることを特徴とする請求項１記載の飲料用容器。
【請求項５】
底部と、
前記底部の上部に配置され、他の商品と識別するための識別標記が付された側部と、を有し、
前記底部が水平面に載置された際の重心が前記識別標記側に位置するように構成された飲料用容器。
【請求項６】
前記飲料用容器は、部材が別途取り付けられることで、前記重心が前記識別標記側に位置するように構成されていることを特徴とする請求項５記載の飲料用容器。
【請求項７】
前記部材は、前記底部を構成する材料および前記側部を構成する材料よりも比重が大きいことを特徴とする請求項６記載の飲料用容器。
【請求項８】
前記部材は、前記飲料用容器の前記底部に取り付けられていることを特徴とする請求項６又は７に記載の飲料用容器。
【請求項９】
陳列装置に設けられる傾斜面を下方に向かってスライドし陳列される飲料用容器であって、
底部と、他の商品と識別するための識別標記が付される側部とを有し、飲料が注がれる飲料用容器本体と、
前記底部が前記傾斜面に対して接触した状態にて前記飲料用容器本体が当該傾斜面を前記下方に向かってスライドする際に、前記識別標記が当該下方側を向くように当該飲料用容器本体を回転させる回転手段と、
を含む飲料用容器。
【請求項１０】
前記回転手段は、前記飲料用容器本体に取り付けられ、当該飲料用容器本体の重心を前記識別標記が付された側に設定する設定部材により構成されていることを特徴とする請求項９記載の飲料用容器。
【請求項１１】
前記設定部材は、前記飲料用容器本体を構成する材料よりも比重が大きいことを特徴とする請求項１０記載の飲料用容器。
【請求項１２】
前記設定部材は、前記飲料用容器本体の前記底部に取り付けられていることを特徴とする請求項１０又は１１に記載の飲料用容器。
【請求項１３】
前記底部は、前記傾斜面と接触する箇所に摩擦係数が互いに異なる第１の領域および第２の領域を有し、
前記回転手段は、前記底部が有する前記第１の領域および前記第２の領域により構成されていることを特徴とする請求項９記載の飲料用容器。
【請求項１４】
底部と、当該底部の上部に配置され他の商品と識別するための識別標記が付された側部と、を有した飲料容器に装着される装着部材であって、
前記飲料容器と所定の位置関係を有した状態で当該飲料容器に装着された場合に、当該飲料容器の重心を前記識別標記が付された側に変位させる装着部材。
【請求項１５】
前記装着部材は、前記飲料容器の上部側又は前記底部側に被せられる筒状の本体部と、当該本体部の重心を当該本体部の軸心から変位させる変位部材とから少なくとも構成されていることを特徴とする請求項１４記載の装着部材。
【請求項１６】
前記変位部材は、筒状に形成された前記本体部の内側に設けられていることを特徴とする請求項１５記載の装着部材。
【請求項１７】
底部と、当該底部の上部に配置され他の商品と識別するための識別標記が付された側部と、を有した飲料容器の当該底部側に装着される装着部材であって、
前記底部側に装着される側とは反対側に、第１の摩擦係数を有する第１の領域と、当該第１の摩擦係数よりも大きい第２の摩擦係数を有する第２の領域と、を有する装着部材。
【発明の詳細な説明】
【技術分野】
【０００１】
本発明は、飲料用容器、および飲料容器に装着される装着部材に関する。
【背景技術】
【０００２】
例えばコンビニエンスストアなどにおいては、飲料缶やペットボトルなど飲料が充填された容器が、例えば陳列ケースに収容された陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が出回っている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。即ち、前方側から投入された容器がＵターンして戻ってくる陳列装置が提案されている。さらに、容器に関するものとして、缶底に形成された環状凸部の内周壁に、内側凹部と縦リブとが円周方向に交互に形成された缶が提案されている（例えば、特許文献３参照）。
【０００３】
ところで、容器の外面には、商品名や商標名など他の商品と識別するための標記が設けられるが、この標記が購入者の取り出し方向に向いていないと、商品の識別がしにくくなるとともに、商品の陳列時の見栄えが悪くなる。このため、陳列される容器は、例えば前方側など、標記が所定の方向に向いていることが好ましい。
【０００４】
公報記載の従来技術として、容器が載せられる傾斜棚板の上面に、棚板傾斜方向に向けて棒状のガイド凸条を設け、容器の底部に、標記の直下と標記が付された面とは反対側の面の直下とを結ぶ凹状嵌合部を設け、このガイド凸条と凹状嵌合部とを用いて容器を陳列する陳列方法が提案されている（例えば、特許文献４参照）。この陳列方法では、標記が前方側を向く姿勢で凹状嵌合部をガイド凸条に嵌合させ、複数の容器を前後に並べる。この結果、標記が前方を向いた状態で容器の陳列が行われる。
【０００５】
【特許文献１】特開平１１−１５５７０１号公報
【特許文献２】米国特許第６５０２４０８号
【特許文献３】特開２０００−２１１６２４号公報
【特許文献４】特開２００６−２８８６７６号公報
【発明の開示】
【発明が解決しようとする課題】
【０００６】
上記特許文献４では、凹状嵌合部をガイド凸条に嵌合させ容器の陳列を行うことで、標記を確実に前方に向けることが可能となる。しかしながら、かかる発明では、容器の投入者は、容器を陳列装置に設置する度に凹状嵌合部をガイド凸条に嵌合させる必要があり、容器の陳列作業が繁雑となる。また、標記が容器の一箇所にのみ形成されている場合には、標記が後方側に向いた状態で陳列される陳列ミスの発生も懸念される。また、このコンビニエンスストアなどの多量の飲料を販売する店舗等では、向きを揃えて投入する作業が非常に大掛かりとなる。
【０００７】
本発明は、陳列装置に縦置きに陳列する際に標記をランダムな方向に向けて置いても、標記を所定の方向に向けることが可能な飲料用容器等を提供することを主たる目的とする。
【課題を解決するための手段】
【０００８】
かかる目的のもと、本発明が適用される飲料用容器は、載置面と接触する接触部を有した底部と、底部の上方に設けられ、所定箇所に他の商品と識別するための識別標記が付された側部と、を備え、底部の接触部は、第１の摩擦係数を有する第１の領域と、識別標記が設けられている側とは反対側に設けられ第１の摩擦係数よりも大きい第２の摩擦係数を有する第２の領域と、を有することを特徴とする。
【０００９】
ここで、第１の領域および第２の領域は、第１の領域および第２の領域の少なくとも一方に、摩擦係数を異ならせる物質が塗布されることで形成されていることを特徴とすることができる。また、第１の領域および第２の領域は、第１の領域および第２の領域の少なくとも一方に、摩擦係数を異ならせるシール又はテープが貼付されることで形成されていることを特徴とすることができる。さらに、第１の領域および第２の領域は、少なくとも第２の領域に凹凸部が付与されることで形成されていることを特徴とすることができる。
【００１０】
他の観点から捉えると、本発明が適用される飲料用容器は、底部と、底部の上部に配置され、他の商品と識別するための識別標記が付された側部と、を有し、底部が水平面に載置された際の重心が識別標記側に位置するように構成される。
【００１１】
ここで、飲料用容器は、部材が別途取り付けられることで、重心が識別標記側に位置するように構成されていることを特徴とすることができる。また、部材は、底部を構成する材料および側部を構成する材料よりも比重が大きいことを特徴とすることができる。さらに、部材は、飲料用容器の底部に取り付けられていることを特徴とすることができる。
【００１２】
さらに他の観点から捉えると、本発明が適用される飲料用容器は、陳列装置に設けられる傾斜面を下方に向かってスライドし陳列される飲料用容器であって、底部と、他の商品と識別するための識別標記が付される側部とを有し、飲料が注がれる飲料用容器本体と、底部が傾斜面に対して接触した状態にて飲料用容器本体が傾斜面を下方に向かってスライドする際に、識別標記が下方側を向くように飲料用容器本体を回転させる回転手段と、を含む。
【００１３】
ここで、回転手段は、飲料用容器本体に取り付けられ、飲料用容器本体の重心を識別標記が付された側に設定する設定部材により構成されていることを特徴とすることができる。また、設定部材は、飲料用容器本体を構成する材料よりも比重が大きいことを特徴とすることができる。さらに、設定部材は、飲料用容器本体の底部に取り付けられていることを特徴とすることができる。また、底部は、傾斜面と接触する箇所に摩擦係数が互いに異なる第１の領域および第２の領域を有し、回転手段は、底部が有する第１の領域および第２の領域により構成されていることを特徴とすることができる。
【００１４】
また、本発明を装着部材と捉えた場合、本発明が適用される装着部材は、底部と、底部の上部に配置され他の商品と識別するための識別標記が付された側部と、を有した飲料容器に装着される装着部材であって、飲料容器と所定の位置関係を有した状態で飲料容器に装着された場合に、飲料容器の重心を識別標記が付された側に変位させる。
【００１５】
ここで、装着部材は、飲料容器の上部側又は底部側に被せられる筒状の本体部と、本体部の重心を本体部の軸心から変位させる変位部材とから少なくとも構成されていることを特徴とすることができる。また、変位部材は、筒状に形成された本体部の内側に設けられていることを特徴とすることができる。
【００１６】
他の観点から捉えると、本発明が適用される装着部材は、底部と、底部の上部に配置され他の商品と識別するための識別標記が付された側部と、を有した飲料容器の底部側に装着される装着部材であって、底部側に装着される側とは反対側に、第１の摩擦係数を有する第１の領域と、第１の摩擦係数よりも大きい第２の摩擦係数を有する第２の領域と、を有する。
【発明の効果】
【００１７】
陳列装置に縦置きに陳列する際に標記をランダムな方向に向けて置いても、標記を所定の方向に向けることが可能な飲料用容器等を提供することが可能となる。
【発明を実施するための最良の形態】
【００１８】
以下、添付図面を参照して、本発明を実施するための最良の形態について詳細に説明する。
―第１の実施形態―
図１は、本発明の実施形態に係る陳列装置の概略構成を示した図である。
同図（Ａ）に示すように本実施形態における陳列装置３０は、飲料が内部に充填された容器（飲料容器）２０が載せられる載置部（載置面）３１と、容器２０の移動経路（搬送経路）を形成するとともに容器２０の移動を案内するガイド３２とを備えている。また、一部が透明に形成されるとともに載置部３１の一側辺に沿って配置され、容器２０の移動を停止させる規制板３４を備えている。ここでガイド３２は、例えば、その両端部が載置部３１に形成された開口３３に差し込まれることにより載置部３１に固定される。また、容器２０には、円筒状の缶を例示しているが、所謂ペットボトルなどの樹脂製の容器やキャップを有した所謂ボトル缶なども用いることができる。
【００１９】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置３０は、陳列ケース１０に設けられた棚（不図示）の上に載せられる。この際、陳列装置３０は、規制板３４が設けられた側がドア１０Ｂ側に位置するように設置される。また、規制板３４が設けられた側が、規制板３４が設けられた側とは反対側よりも下方に位置するように配置される。このため、陳列装置３０における載置部３１は、陳列ケース１０の後方側から容器２０が取り出される前方側（取り出し部側）に向かって下り傾斜した状態で配置される。
【００２０】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動（スライド）する。即ち、容器２０を購入する購入者側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００２１】
ここで図２は、本実施形態における容器２０を説明するための図である。
同図（Ａ）に示す容器２０は、円盤状に形成された底部２１と、底部２１の外周縁から上方に延びる側部２２と、側部２２の上部に取り付けられた蓋部２４とを備え、円筒状に形成されている。また容器２０は、底部２１に、容器２０の外方に（底部２１から離れる方向に）向かって環状に突出した環状突出部２１１を備えている。さらに容器２０には、外面の一部である側部２２の特定箇所に、商品名、商標名など他の商品と識別するための識別標記２３が付されている。さらに、容器２０は、底部２１に、錘２１２を有している。なお底部２１および側部２２は、飲料が注がれる飲料用容器本体として捉えることができる。また錘２１２は、この飲料用容器本体の重心を識別標記２３が付された側に設定する設定部材として捉えることができる。
【００２２】
なお、容器２０の材質は、ビールなどのアルコール類、ジュースなどのソフトドリンク類に使用可能なものであれば特に制限されない。例えば、アルミニウム、スチールなどの金属、ＰＥＴ（ポリエチレンテレフタレート）などの樹脂、ガラスなどを用いることができる。
また、容器２０の形状や種類も特に限定されない。容器２０には、例えば、いわゆるツーピース缶（ＤＩ缶）、スリーピース缶、ペットボトル、ガラス瓶、ネジ付缶（いわゆるボトル缶）を挙げることができる。
【００２３】
ここで錘２１２には、鉛等の金属など、容器２０の材料（例えばアルニウム）よりも比重が大きいものが用いられている。また、錘２１２は、環状突出部２１１の内側の側面に接するように設けられている。また、錘２１２は、容器２０の重心（中心）に対し偏心した位置に設けられている。また、錘２１２は、識別標記２３が設けられた側と同じ側に設けられている。このため、本実施形態における容器２０は、水平面に載置された際の重心が識別標記２３側に位置するように構成されている。なお、錘２１２は、例えば接着により容器２０に取り付けることができる。
【００２４】
ここで図２（Ｂ）を用い、陳列装置３０での容器２０の動作について説明する。
陳列装置３０の後方に置かれ前方への移動を開始した容器２０は、底部２１に錘２１２が取り付けられているため、実線２Ａに示すように、錘２１２側が先行するように回転を行う。そして容器２０は、この回転を継続しながらさらに前方へ移動する（破線２Ｂ参照）。その後、容器２０は、錘２１２が前方側に位置する状態となると回転を停止する（破線２Ｃ参照）。なお、錘２１２と識別標記２３は上記の通り、容器２０の同じ側に設けられているため、錘２１２が前方側に位置すると、識別標記２３も前方側に位置するようになる。即ち、識別標記２３が前方を向くようになる。その後、容器２０は、識別標記２３が前方を向いた状態を維持したままさらに前方まで移動する（破線２Ｄ参照）。このため、取り出し部に達した容器２０は、識別標記２３が前方を向いた状態で陳列されることとなる。なお、図２（Ｂ）では、載置部３１に回転可能なロール状部材が複数設けられた陳列装置３０を例示している。
【００２５】
図３は、容器２０の他の形態を示したものである。
錘２１２は、例えば同図（Ａ）に示すように、容器２０の底部２１であって、環状突出部２１１の外側に設けることができる。また錘２１２は、例えば同図（Ｂ）に示すように、容器２０の側部２２に取り付けることもできる。さらに錘２１２は、例えば同図（Ｃ）に示すように、蓋部２４に取り付けることもできる。なお、錘２１２の取り付け位置によっては容器２０の外観を損なうおそれがある。このため、錘２１２は、容器２０の底部２１に取り付けることが最も好ましい。
また本実施形態では図示を省略するが、容器２０を構成する材料を識別標記２３側により多く配置することで、容器２０の重心を識別標記２３側に位置させることもできる。即ち錘２１２などを別途設けることなく容器２０の形状を変えることで、容器２０の重心を識別標記２３側に位置させることができる。例えば、容器２０の製造段階（形成段階）において、曲げ加工などを適宜施し、識別標記２３側により多くの材料が配置されるように容器２０を形成する。この場合、識別標記２３が配置された側により多くの材料が配置され、容器２０の重心が識別標記２３側に位置するようになる。
【００２６】
なお錘２１２の容器２０への取り付けは、上記形態に限られない。例えば、容器２０に装着される装着部材を介し、容器２０に錘２１２を取り付けることができる。
ここで図４は、容器２０および装着部材を説明する図である。
錘２１２は、例えば同図（Ａ）に示すように、容器２０の上部に装着され（被せられ）容器２０の上部を覆う装着部材４０に取り付けることができる。なお、この装着部材４０は、同図（Ａ）、（Ｂ）に示すように、円筒状に形成され容器２０に装着される第１筒状部４１と、第１筒状部４１の内側に配置され同じく円筒状に形成された第２筒状部４３とを備える。また、装着部材４０は、第１筒状部４１の一端側を塞ぐ円盤状の蓋部４２を備えている。そして錘２１２は、第１筒状部４１と第２筒状部４３との間に配置されている。付言すれば第１筒状部４１の内側に配置されている。ここで、第１筒状部４１および蓋部４２は、容器２０の上部に被せられる筒状の本体部として捉えることができる。また、錘２１２は、この本体部の重心を本体部の軸心から変位させる変位部材として捉えることができる。
【００２７】
ここで装着部材４０の容器２０への装着は、識別標記２３と錘２１２との位置合わせを行ったうえで行う。具体的には、同図（Ａ）に示すように、識別標記２３が付与されている側に錘２１２を位置させたうえで容器２０に装着部材４０を装着する。この結果、上記同様、容器２０の重心が識別標記２３側に位置するようになる。付言すれば、装着部材４０は、容器２０と所定の位置関係を有した状態で容器２０に装着された場合に、容器２０の重心を識別標記２３が付された側に変位させる。
なお、本実施形態では、装着部材４０を容器２０に装着する際、装着部材４０における第２筒状部４３の端部が容器２０に突き当たる構成となっている（同図（Ａ）参照）。このため、装着部材４０に対する容器２０の過度の入り込みが規制される。また、本実施形態の装着部材４０は、容器２０と蓋部４２との間（第２筒状部４３の内部）に、景品等を収容するスペースが形成される構成となっている。なお、装着部材４０は、容器２０の上部のみならず、図４（Ｃ）に示すように、容器２０の下部に取り付けることもできる。
【００２８】
―第２の実施形態―
図５は、第２の実施形態における容器２０を示した図である。なお同図（Ａ）は、容器２０の側面図であり、同図（Ｂ）は容器２０の底面２１を示した図である。また同図（Ｃ）は、容器２０の動作を説明する図である。
【００２９】
同図（Ａ）、（Ｂ）に示すように本実施形態における容器２０にも環状突出部２１１が設けられている。そして本実施形態では、この環状突出部２１１の頂部の一部に、テープＴが貼付されている。なお、テープＴが貼付されている箇所は、識別標記２３が設けられた側とは反対側となっている。付言すれば、容器２０の周方向において、識別標記２３とテープＴは位相が１８０°ずれた状態で配置されている。
【００３０】
陳列装置３０の後方に投入された容器２０は、テープＴの表面の摩擦係数とテープＴが設けられていない他の箇所の摩擦係数とが異なるために回転を行う。詳細には、容器２０は、テープＴと載置部３１との摩擦力（摩擦抵抗）が、テープＴが設けられていない他の箇所と載置部３１との摩擦力よりも大きくなるため、前方への移動を行いつつ回転を行う。付言すれば、テープＴが設けられた箇所に対し、載置部３１から抵抗力がより大きく作用する状態となる。これにより、テープＴが設けられていない箇所が先行するように回転を行う。
この結果、同図（Ｃ）の実線５Ａの状態で投入された容器２０は、破線５Ｂに示すように、テープＴが設けられた側が後方側に移動するように回転を行い、破線５Ｃに示す状態となる。即ち、容器２０は、テープＴが設けられた側が後方側に位置するとなるとともに識別標記２３が前方に位置する状態となる。そして識別標記２３が前方に位置した状態で破線５Ｄに示す位置まで移動していく。このため、本実施形態においても、取り出し部に達した容器２０は、識別標記２３が前方を向いた状態で陳列されることとなる。
【００３１】
なお載置部３１には、回転可能なロール状部材や球状部材を複数設けることができる。ところで本実施形態のように摩擦力の差を利用して容器２０の回転を行う場合は、図５（Ｃ）に示すように、載置部３１の一部（容器２０の回転を行う領域）に、平滑な領域を設けることが好ましい。即ち、ロール状部材等を設けず、容器２０と接触する箇所を平滑な状態にしておくことが好ましい。具体的には、例えば表面が平滑な塩化ビニル製の板状部材や、ベークライトにより形成され表面が平滑な板状部材を用いることが好ましい。なお、容器２０による擦過傷の発生をより防止するためには、ベークライトを用いることがより好ましい。また、本実施形態では、テープＴにより相対的に滑りにくい領域（相対的に摩擦係数が大きい領域）を形成したが、テープＴにより相対的に滑りやすい領域（相対的に摩擦係数が小さい領域）を形成し、容器２０に回転力を付与することもできる。
【００３２】
ここで本発明者は、図５（Ａ）に示した容器２０を用いて実験を行い、容器２０の回転性能等について調査した。なおこの実験では、テープＴの幅Ｂ（同図（Ｂ）参照）を約２ｍｍとした。また、テープＴの長さＬ（環状突出部２１１の周方向に沿った長さ、同図（Ｂ）参照）を約２．５ｍｍとした。また、載置部３１のうち容器２０が接触する箇所には、塩化ビニル製であり表面が乾燥状態且つ表面が平滑な板を設けた。さらに、載置部３１の傾斜角度は、１２°とした。結果について説明すると、容器２０は、上記の説明のとおり、テープＴが設けられた側が後方側に移動するように回転を行った。そして容器２０は、最終的に、同図（Ｃ）の破線５Ｃに示したように、識別標記２３が前方を向いた状態となった。
【００３３】
さらにテープＴの貼付等に限られず、例えば塗装によって摩擦力が異なる領域（摩擦係数が異なる領域）を形成することもできる。言い換えると、摩擦係数を異ならせる物質の塗布によって摩擦力が異なる領域（摩擦係数が異なる領域）を形成することもできる。また例えば、サンドブラスト等により容器２０に凹凸を付与することで摩擦力が異なる領域（摩擦係数が異なる領域）を形成することもできる。
ここで図６は、摩擦力が異なる領域を塗装により形成した例を示した図である。
例えば図６（Ａ）、（Ｂ）に示すように、環状突出部２１１の頂部（載置部３１と接触する接触部の一例）に、第１の摩擦係数を有する第１の領域２１１ａと、この第１の摩擦係数よりも大きい第２の摩擦係数を有する第２の領域２１１ｂとを、塗装により形成することができる。ここで本形態では、第２の領域２１１ｂが、識別標記２３が位置する側とは反対側に設けられている。また第１の領域２１１ａは、第２の領域２１１ｂ以外の領域に設けられている。
【００３４】
なお、上記第１の領域２１１ａや第２の領域２１１ｂは、例えば容器２０の製造段階において形成することができる。ここで容器２０は、製造された後、飲料の充填工程等において底部２１側が下方となる状態で搬送される。即ち、底部２１が載置面と接触した状態で搬送される。ところで、上記第１の領域２１１ａや第２の領域２１１ｂが形成されていると、容器２０が円滑にスライドしにくくなり円滑な搬送が困難となるおそれがある。このため、第１の領域２１１ａと第２の領域２１１ｂを形成した後に、この第１の領域２１１ａおよび第２の領域２１１ｂを覆うシールなどを貼付する工程を設けることが好ましい。これにより、飲料の充填工程等において容器２０を円滑に移動（スライド）させることができる。なおこのシールは、飲料が充填された容器２０を出荷する際や、飲料が充填された容器２０を陳列装置３０に設置する際に除去される。なお、上記では、容器２０に、第１の領域２１１ａおよび第２の領域２１１ｂの２つの領域を形成した例を説明したが、第２の領域２１１ｂのみを形成することもできる。
【００３５】
また、第１の領域２１１ａ、第２の領域２１１ｂは、容器２０に直接形成する場合に限られず、図７（容器２０および装着部材４０を説明する図）に示すように、容器２０の底部２１側に装着される装着部材４０に形成することもできる。
ここで、装着部材４０は、図４と同様に、円筒状に形成された第１筒状部４１と、第１筒上部４１の内側に配置され同じく円筒状に形成された第２筒状部４３とを備えている。また、第１筒状部４１の一端側を塞ぐ円盤状の蓋部４２を備えている。また、本形態における装着部材４０は、蓋部４２に、装着部材４０の外方に（容器２０が装着される側とは反対側に）且つ環状に突出する環状突出部４４を備えている。そして、本形態では、この環状突出部４４の頂部の一部に上記第１の領域２１１ａが形成され、他の一部に上記第２の領域２１１ｂが形成されている。付言すれば、容器２０に装着される側とは反対側に、第１の領域２１１ａおよび第２の領域２１１ｂが形成されている。
【００３６】
ここで図８は、装着部材４０の他の形態を示した図である。なお、図８（Ａ）は、容器２０および装着部材４０の一部断面図であり、図８（Ｂ）は、装着部材４０を底面側から眺めた場合の図である。
図７では、装着部材４０の蓋部４２に環状突出部４４が設けられた場合を一例に説明したが、図８に示すように、装着部材４０の蓋部４２は平坦状に形成することができる。そして、この平坦状に形成された蓋部４２の一部に、例えば蓋部４２の表面の摩擦係数よりも大きい摩擦係数を有し、載置部３１との摩擦力を増加させるシールＳを貼付することができる。なお、本形態における装着部材４０は、同図（Ａ）に示すように、識別標記２３が設けられた側とは反対側にシールＳが位置するように、容器２０に装着される。なお、本図では、シールＳにより摩擦力を増加させる例を説明したが、例えばシールＳの表面粗さを蓋部４２の表面粗さよりも小さくし、シールＳによって摩擦力を相対的に減じることもできる。なおこの場合の装着部材４０は、識別標記２３が設けられた側にシールＳが位置するように、容器２０に装着される。
【図面の簡単な説明】
【００３７】
【図１】本発明の実施形態に係る陳列装置の概略構成を示した図である。
【図２】本実施形態における容器を説明するための図である。
【図３】容器の他の形態を示したものである。
【図４】容器および装着部材を説明する図である。
【図５】第２の実施形態における容器を示した図である。
【図６】摩擦力が異なる領域を塗装により形成した例を示した図である。
【図７】容器および装着部材を説明する図である。
【図８】装着部材の他の形態を示した図である。
【符号の説明】
【００３８】
２０…容器、２１…底部、２２…側部、２３…識別標記、４０…装着部材、４１…第１筒状部、４２…蓋部、２１１…環状突出部、２１１ａ…第１の領域、２１１ｂ…第２の領域、２１２…錘、Ｓ…シール、Ｔ…テープ
【図１】
2010042830.tif 000003
【図２】
2010042830.tif 000004
【図３】
2010042830.tif 000005
【図４】
2010042830.tif 000006
【図５】
2010042830.tif 000007
【図６】
2010042830.tif 000008
【図７】
2010042830.tif 000009
【図８】
2010042830.tif 000010